(57)【要約】      （修正有）【課題】高い抗菌性能及び抗ウイルス性能を有し、簡易な水処理装置を構成し得る水処理材を提供する。【解決手段】水処理材は、亜酸化銅と撥水性バインダーとを備える。水処理装置１は、処理対象の水７が流通する通水路２を備える。通水路２の一端には処理対象の水７が供給される導入口５が形成され、通水路２の他端には水処理装置１による処理後の水を吐出する吐出口６が形成されている。この通水路２の途中には、処理対象の水７を貯留するタンク３と、処理対象の水７を浄化するための浄水フィルタ４とが設けられている。水処理装置１は、更に通水路２内に水の流通を生じさせるためのポンプ、通水路２の適宜の位置での水の流通を開閉するための弁などを、備えてもよい。【選択図】図１
2012213689.tif 000002
【特許請求の範囲】
【請求項１】
亜酸化銅と撥水性バインダーとを備える水処理材。
【請求項２】
前記撥水性バインダーの表面自由エネルギーが４０ｍＪ／ｍ２以下である請求項１に記載の水処理材。
【請求項３】
前記撥水性バインダーが、ポリシロキサン骨格を含む側鎖を有するアクリルポリオールを少なくとも含む主剤と硬化剤との反応生成物である請求項１又は２に記載の水処理材。
【請求項４】
前記撥水性バインダーが、フルオロアルキル骨格を有するアクリルポリオールを少なくとも含む主剤と硬化剤との反応生成物である請求項１乃至３のいずれか一項に記載の水処理材。
【請求項５】
前記撥水性バインダーが、ポリシロキサン骨格を含む側鎖とフルオロアルキル骨格とを有するアクリルポリオールを少なくとも含む主剤と硬化剤との反応生成物である請求項１乃至４のいずれか一項に記載の水処理材。
【請求項６】
前記硬化剤がイソシアネートを含む請求項３乃至５のいずれか一項に記載の水処理材。
【請求項７】
前記硬化剤がアミノ樹脂を含む請求項３乃至６のいずれか一項に記載の水処理材。
【請求項８】
前記撥水性バインダーが、３官能以下のアルコキシシランの縮重合物を含む請求項１又は２に記載の水処理材。
【請求項９】
処理対象の水が貯留されるタンクと、前記タンクの内面上に設けられている請求項１乃至８のいずれか一項に記載の水処理材とを備える水処理装置。
【請求項１０】
処理対象の水が流通する通水路と、前記通水路の内面上に設けられている請求項１乃至８のいずれか一項に記載の水処理材とを備える水処理装置。
【請求項１１】
浄水フィルタと、前記浄水フィルタに設けられている請求項１乃至８のいずれか一項に記載の水処理材とを備える水処理装置。
【発明の詳細な説明】
【技術分野】
【０００１】
本発明は、水処理材、及びこの水処理材を備える水処理装置に関する。
【背景技術】
【０００２】
従来、水中に含まれる菌類等を除去するための種々の水処理装置が提供されている。例えば特許文献１には、紫外線透過性ガラス内管と、この内管の外側に硬質ガラス製外管を配置し、両ガラス管の上下両端を密閉して、前記内管と外管との間に流水部を形成すると共に、前記流水部の上下に夫々溝の入口又は出口を設けたユニットを、上下に配置すると共に、前記内管の内側に両ユニットに共通に殺菌ランプを配置することで浄水器用紫外線流水殺菌装置を構成することが開示されている。特許文献２には、イオン交換能を有する吸着剤を含む微多孔体を備えた吸着体と、中空糸膜モジュールとを有する浄水器が開示されている。
【０００３】
近年、インドや中国のような新興国などにおいて、簡易な水処理装置の普及が要請されている。これらの新興国では、上水道のインフラ整備が途上にあり、このため飲料水に菌やウイルスが多く含まれる可能性がある。このため、水処理装置により飲料水等に供される水を浄化する必要性が高い。
【０００４】
しかし、上記のような殺菌ランプや中空糸膜を備える従来の水処理装置の製造コストやランニングコストが高く、このことは水処理装置の普及の妨げとなっている。
【先行技術文献】
【特許文献】
【０００５】
【特許文献１】特開平２−２２２７６６号公報
【特許文献２】特開２００１−２３２３６１号公報
【発明の概要】
【発明が解決しようとする課題】
【０００６】
本発明は上記事由に鑑みてなされたものであり、高い抗菌性能及び抗ウイルス性能を有し、簡易な水処理装置を構成し得る水処理材、並びにこの水処理材を備える水処理装置を提供することを目的とする。
【課題を解決するための手段】
【０００７】
本発明に係る水処理材は、亜酸化銅と撥水性バインダーとを備える。
【０００８】
本発明に係る水処理材において、前記撥水性バインダーの表面自由エネルギーが４０ｍＪ／ｍ２以下であることが好ましい。
【０００９】
本発明に係る水処理材において、前記撥水性バインダーが、ポリシロキサン骨格を含む側鎖を有するアクリルポリオールを少なくとも含む主剤と硬化剤との反応生成物であることが好ましい。
【００１０】
本発明に係る水処理材において、前記撥水性バインダーが、フルオロアルキル骨格を含む主鎖あるいは側鎖を有するアクリルポリオールを少なくとも含む主剤と硬化剤との反応生成物であることも好ましい。
【００１１】
本発明に係る水処理材において、前記撥水性バインダーが、ポリシロキサン骨格を含む側鎖とフルオロアルキル骨格とを有するアクリルポリオールを少なくとも含む主剤と硬化剤との反応生成物であることも好ましい。
【００１２】
本発明に係る水処理材において、前記硬化剤がイソシアネートを含むことが好ましい。
【００１３】
本発明に係る水処理材において、前記硬化剤がアミノ樹脂を含むことも好ましい。
【００１４】
本発明に係る水処理材において、前記撥水性バインダーが、３官能以下のアルコキシシランの縮重合物を含むことも好ましい。
【００１５】
本発明に係る水処理装置は、前記水処理材を備える。
【００１６】
本発明に係る水処理装置は、処理対象の水が貯留されるタンクを備え、前記タンクの内面に前記水処理材が設けられていることが好ましい。
【００１７】
本発明に係る水処理装置は、処理対象の水が流通する通水路を備え、前記通水路の内面に前記水処理材が設けられていることも好ましい。
【００１８】
本発明に係る水処理装置は、浄水フィルタを備え、前記浄水フィルタに前記水処理材が設けられていることも好ましい。
【発明の効果】
【００１９】
本発明によれば、高い抗菌性能及び抗ウイルス性能を有する水処理装置、並びにこの水処理材を備える水処理装置が得られる。
【図面の簡単な説明】
【００２０】
【図１】本発明の一実施形態における水処理装置の構造を示す概略図である。
【発明を実施するための形態】
【００２１】
本実施形態では、水処理材は、亜酸化銅と撥水性バインダーとを備える。水処理材は、例えば撥水性バインダーからなる母相に亜酸化銅が分散している構造を有する。
【００２２】
亜酸化銅（酸化銅（Ｉ））は菌、ウイルスに対し高い活性を有するが、本実施形態では水処理材が亜酸化銅に加えて更に撥水性バインダーを備えることで、亜酸化銅の抗菌、抗ウイルス性能が更に向上し、このため水処理材は非常に高い抗菌、抗ウイルス性能を発揮する。その理由は次の通りであると考えられる。
【００２３】
菌やウイルスを構成するタンパク質分子は親水性の基を有するアミノ酸と疎水性の基を有するアミノ酸とが結合した構造を有する高分子であり、一般にタンパク質分子の表面では親水性の基と疎水性の基とがモザイク状に存在している。タンパク質分子の表面の疎水性の基は、水分子との接触を避けるために他の分子における疎水性の基などに吸着する傾向にある。このように、タンパク質の吸着現象の主要因は、タンパク質分子自身が有する疎水性の基による相互作用引力によるものである。そこで、本実施形態のように水処理材が撥水性バインダーを備えると、タンパク質分子における疎水性の基と撥水性バインダーとの間で相互作用引力が働き、このため水処理材にタンパク質が吸着しやすくなる。それに伴って水処理材における亜酸化銅に菌、ウイルスなどが吸着しやすくなり、このため亜酸化銅による抗菌、抗ウイルス性能が向上すると考えられる。
【００２４】
撥水性バインダーの有する撥水性の程度は制限されないが、特にその表面自由エネルギーが４０ｍＪ／ｍ２以下であることが好ましい。この場合、菌やウイルスを構成するタンパク質と撥水性バインダーとの間の相互作用引力が特に大きくなり、このため水処理材の抗菌、抗ウイルス性能が更に向上する。
【００２５】
撥水性バインダーは、アクリルポリオールを含む主剤と硬化剤との反応生成物であることが好ましい。主剤中のアクリルポリオールの割合は１〜１００質量％の範囲であることが好ましく、特に１０〜１００質量％の範囲であることが好ましい。主剤が全てアクリルポリオールであることも好ましい。
【００２６】
アクリルポリオールは特に、ポリシロキサン骨格を含む側鎖を有するアクリルポリオール、フルオロアルキル骨格を有するアクリルポリオール、並びにポリシロキサン骨格を含む側鎖とフルオロアルキル骨格とを有するアクリルポリオールのうち、少なくとも一種を含むことが好ましい。フルオロアルキル骨格を有するアクリルポリオールにおいては、フルオロアルキル骨格は側鎖に存在していても主鎖に存在していてもよい。このような場合、撥水性バインダーがポリシロキサン骨格とフルオロアルキル基とのうち少なくとも一方を備えるようになり、それにより撥水性バインダーが持続性に優れた高い撥水性を発揮し、上記のような表面自由エネルギーが４０ｍＪ／ｍ２以下である撥水性バインダーも実現し得るようになる。このような撥水性バインダーを備えることで、水処理材には菌及びウイルスが更に吸着しやすくなり、このため水処理材の抗菌、抗ウイルス性能が更に向上する。
【００２７】
ポリシロキサン骨格を含む側鎖を有するアクリルポリオールが使用される場合、その主剤中の割合は１〜１００質量％の範囲であることが好ましく、特に１０〜１００質量％の範囲であることが好ましい。フルオロアルキル骨格を有するアクリルポリオールが使用される場合、その主剤中の割合は１〜１００質量％の範囲であることが好ましく、特に１０〜１００質量％の範囲であることが好ましい。ポリシロキサン骨格を含む側鎖とフルオロアルキル骨格とを有するアクリルポリオールが使用される場合、その主剤中の割合は１〜１００質量％の範囲であることが好ましく、特に１０〜１００質量％の範囲であることが好ましい。更に、主剤中の、ポリシロキサン骨格を含む側鎖を有するアクリルポリオール、フルオロアルキル骨格を有するアクリルポリオール、並びにポリシロキサン骨格を含む側鎖とフルオロアルキル骨格とを有するアクリルポリオールの合計量の割合は、１〜１００質量％の範囲であることが好ましく、特に１０〜１００質量％の範囲であることが好ましい。
【００２８】
このようなポリシロキサン骨格を含む側鎖を有するアクリルポリオールの具体例としては、東亞合成株式会社製の品番ＵＳ−２７０（水酸基含有シリコーン樹脂、固形分２９質量％、水酸基価２６）などが挙げられる。フルオロアルキル骨格を有するアクリルポリオールの具体例としては、旭硝子株式会社製のルミフロン品番ＬＦ２００（水酸基含有フッ素樹脂、固形分６０質量％、水酸基価３２）などが挙げられる。ポリシロキサン骨格を含む側鎖とフルオロアルキル骨格とを有するアクリルポリオールの具体例としては、富士化成工業株式会社製の品番ＺＸ−００７Ｃ（ジメチルシリコン基・水酸基含有フッ素シリコーン樹脂、固形分３５質量％、水酸基価５８）などが挙げられる。
【００２９】
主剤としてアクリルポリオールが用いられる場合、適宜の硬化剤が用いられる。特に硬化剤がイソシアネートを含むことが好ましい。この場合、主剤と硬化剤とが低温で反応可能となり、このためプラスチック材料のように耐熱性の低い部材上に水処理材を形成することが容易になる。また、撥水性バインダーが高い撥水性を発揮し、水処理材には菌及びウイルスが更に吸着しやすくなり、このため水処理材の抗菌、抗ウイルス性能が更に向上する。
【００３０】
イソシアネートの具体例としては、ヘキサメチレンジイソシアネート樹脂（例えば三井化学株式会社製、商品名タケネートＤ−１７０Ｎ；固形分１００質量％）、トリレンジイソシアネート樹脂（例えば三井化学株式会社製の商品名タケネートＤ−１０３Ｈ：固形分５０質量％）、キシレンジイソシアネート、イソホロンジイソシアネート、及びこれらのうちの二種以上の混合物が挙げられる。アクリルポリオールのＯＨ当量に対するイソシアネートのＮＣＯ当量の比率は、０．５〜３．０の範囲が好ましく、０．８〜１．５であれば更に好ましい。
【００３１】
主剤としてアクリルポリオールが用いられる場合、硬化剤がアミノ樹脂を含むことも好ましい。この場合、撥水性バインダーの硬度が向上し、このため水中での水処理材の抗菌性、抗ウイルス性の持続性が向上する。また、撥水性バインダーが高い撥水性を発揮し、水処理材には菌及びウイルスが更に吸着しやすくなり、このため水処理材の抗菌、抗ウイルス性能が更に向上する。
【００３２】
アミノ樹脂の具体例としては、メラミン樹脂（例えば三井化学株式会社製、商品名ユーバン２２８；固形分６０質量％）が挙げられる。アクリルポリオールの固形分に対するアミノ樹脂の固形分の質量比は、０．１〜０．８の範囲であることが好ましく、０．３〜０．５の範囲であれば更に好ましい。
【００３３】
撥水性バインダーが、３官能以下のアルコキシシランの縮重合物を含むことも好ましい。この場合、撥水性バインダーがアルコキシシランの縮重合物を備えることで、撥水性バインダーが持続性に優れた高い撥水性を発揮し、上記のような表面自由エネルギーが４０ｍＪ／ｍ２以下である撥水性バインダーも実現し得るようになる。このような撥水性バインダーを備えることで、水処理材には菌及びウイルスが更に吸着しやすくなり、このため水処理材の抗菌、抗ウイルス性能が更に向上する。
【００３４】
３官能以下のアルコキシシランの具体例としては、メチルトリエトキシシラン、メチル系シリコーンアルコキシオリゴマー、メチルフェニル系シリコーンアルコキシオリゴマーなどが挙げられる。
【００３５】
亜酸化銅は粒状であることが好ましい。亜酸化銅の粒径は適宜設定される。水処理材における、亜酸化銅と撥水性バインダーの割合は適宜設定されるが、亜酸化銅と撥水性バインダーとの質量比が１：９９〜９９：１の範囲であることが好ましく、２０：８０〜８０：２０の範囲であれば更に好ましい。
【００３６】
水処理材は、撥水性バインダーの原料と、亜酸化銅とを含有する組成物を成形し硬化することで得られる。
【００３７】
この組成物は、例えば亜酸化銅を含有し、更に撥水性バインダーの原料として上記のアクリルポリオールを含む主剤と硬化剤とを含有し、更に必要に応じて適宜の有機溶剤、その他の添加剤を含有する。
【００３８】
また、組成物は、例えば亜酸化銅を含有し、更に撥水性バインダーの原料として上記の３官能以下のアルコキシシランとその部分加水分解縮合物とから選ばれる少なくとも一種を含有し、更に必要に応じて水、酸触媒又はアルカリ触媒、適宜の有機溶剤、その他の添加剤を含有する。
【００３９】
このような組成物が成形され、更に組成物の組成などに応じて加熱などの処理が施されることで硬化することによって、水処理材が得られる。
【００４０】
本実施形態では、水処理装置１は、上記のような水処理材を備える。図１は水処理装置１の構成の一例を示す。この水処理装置１は、処理対象の水７が流通する通水路２を備える。通水路２の一端には処理対象の水７が供給される導入口５が形成され、通水路２の他端には水処理装置１による処理後の水を吐出する吐出口６が形成されている。この通水路２の途中には、処理対象の水７を貯留するタンク３と、処理対象の水７を浄化するための浄水フィルタ４とが設けられている。水処理装置１は、更に通水路２内に水の流通を生じさせるためのポンプ、通水路２の適宜の位置での水の流通を開閉するための弁などを、備えてもよい。
【００４１】
このような水処理装置１が水処理材を備えると、処理対象の水７に存在する菌やウイルスを水処理材に吸着させて容易に不活性化させることができる。
【００４２】
水処理装置１におけるタンク３の内面上に水処理材が設けられていることが好ましい。例えばタンク３の内面上が水処理材で被覆されていることが好ましい。この場合、例えばタンク３の内面に撥水性バインダーの原料と亜酸化銅とを含有する組成物を塗布し、この組成物を硬化することで、タンク３の内面上を水処理材で被覆することが好ましい。
【００４３】
また、タンク３の内面を構成する構造材中に水処理材が含有されていることも好ましい。この場合、例えばタンク３の内面を構成する構造材の原料中に、粒状の水処理材を混入し、この構造材の原料を成形することで、タンク３の内面を構成することができる。この場合、タンク３の内面を構成する構造材に粒状の水処理材が埋め込まれ、この水処理材がタンク３の内面に露出することで、タンク３の内面上には水処理材が設けられる。
【００４４】
このようにタンク３の内面上に水処理材が設けられると、タンク３内で水を貯留することで、このタンク３内の水中の菌やウイルスを水処理材に吸着させて不活性化させることができ、水の殺菌処理に要する設備を小型化することが可能となる。
【００４５】
水処理装置１における通水路２の内面上に水処理材が設けられることも好ましい。この場合、例えば通水路２の内面に撥水性バインダーの原料と亜酸化銅とを含有する組成物を塗布し、この組成物を硬化することで、通水路２の内面上を水処理材で被覆することが好ましい。
【００４６】
このように通水路２の内面上に水処理材が設けられると、通水路２を流通する水中の菌やウイルスを水処理材に吸着させて不活性化させることができる。
【００４７】
水処理装置１における浄水フィルタ４ーに水処理材が設けられることも好ましい。この場合、例えば浄水フィルタ４ーに撥水性バインダーの原料と亜酸化銅とを含有する組成物を塗布し、この組成物を硬化することで、浄水フィルタ４ーに水処理材を付着させることが好ましい。
【００４８】
このように浄水フィルタ４ーに水処理材が設けられると、浄水フィルタ４を通過する水中の菌やウイルスを水処理材に吸着させて不活性化させることができる。また、このため殺菌性能と浄水性能とを併せ持つ水処理装置１の小型化も可能となる。
【００４９】
尚、上記の水処理装置１において、タンク３、通水路２、及び浄水フィルタ４ーの各々に水処理材が設けられてもよいし、タンク３、通水路２、及び浄水フィルタ４ーのうちの一種の要素又は二種の要素の各々に水処理材が設けられてもよい。
【００５０】
また、水処理装置１の構成は、上記のようなタンク３、通水路２、及び浄水フィルタ４ーを備えるものには限られず、水処理材を備えるタンク３、水処理材を備える通水路２、及び水処理材を備える浄水フィルタ４ーのうち、少なくとも一種の要素を備えていれば、それ以外の構成は特に制限されない。
【実施例】
【００５１】
次に、本発明を実施例によって具体的に説明する。
【００５２】
［実施例１］
主剤として、ポリシロキサン骨格（ポリジメチルシロキサン骨格）を含む側鎖と、フルオロアルキル基とを有するアクリルポリオール（富士化成工業株式会社製、品番ＺＸ−０２２Ｈ；ジメチルシリコン基・水酸基含有フッ素シリコーン樹脂、固形分４６質量％、水酸基価１２０）を用意した。硬化剤として、ヘキサメチレンジイソシアネート樹脂（三井化学株式会社製、商品名タケネートＤ−１７０Ｎ；固形分１００質量％）を用意した。亜酸化銅として、酸化銅（Ｉ）微粒子（和光純薬工業株式会社製）を用意した。溶剤としてメチルエチルケトンを用意した。原料の使用量は、表１に示す通りである。
【００５３】
主剤に亜酸化銅を加えてから、これらをスターラ−で分散・混合した。続いて、これらに硬化剤と溶剤とを加えて混合した。これにより、組成物を得た。組成物の全固形分に対する亜酸化銅の割合は５０質量％であった。
【００５４】
基材として、ホウ珪クラウンガラス（住田光学ガラス社製、品番ＢＫ７；厚さ２ｍｍ）を用意した。この基材上に組成物をバーコータ（＃２０）によって塗布し、１５０℃の温度で１０分間乾燥することによって、基材上に水処理材を形成した。
【００５５】
［実施例２］
実施例１において、主剤を、ポリシロキサン骨格を含む側鎖を有すると共にフルオロアルキル基を有しないアクリルポリオール（東亞合成株式会社製、品番ＧＳ−１０１５；水酸基含有樹脂、固形分４５質量％、水酸基価７２）に変更した。原料の使用量は、表１に示す通りとした。
【００５６】
それ以外は実施例１の場合と同じ方法及び同じ条件で、基材上に水処理材を形成した。
【００５７】
［実施例３］
実施例１において、主剤を、フルオロアルキル基を有するアクリルポリオール（ＤＩＣ株式会社製、商品名フルオネートＫ−７０３；水酸基含有フッ素樹脂、固形分６０質量％、水酸基価６６〜７８）に変更した。原料の使用量は、表１に示す通りとした。
【００５８】
それ以外は実施例１の場合と同じ方法及び同じ条件で、基材上に水処理材を形成した。
【００５９】
［実施例４］
実施例１において、硬化剤を、メラミン樹脂（三井化学株式会社製、商品名ユーバン２２５；固形分６０質量％）に変更した。原料の使用量は、表１に示す通りとした。
【００６０】
それ以外は実施例１の場合と同じ方法及び同じ条件で、基材上に水処理材を形成した。
【００６１】
［実施例５］
メチルトリメトキシシラン（信越シリコーン株式会社製、品番ＫＢＭ−１３）、メチルアルコール、及び酸化銅（Ｉ）微粒子（和光純薬工業株式会社製）を用意した。これらの原料の使用量は表１に示す通りとした。更に適量の０．１Ｎの硝酸水溶液を用意した。
【００６２】
メチルトリメトキシシランにメチルアルコールを加え、これらを撹拌しながら更に緩やかに０．１Ｎの硝酸水溶液を滴下した。これにより得られた溶液を１時間かけて６０℃まで昇温させた。これにより、３官能のアルコキシシラン部分加水分解物溶液（固形分１．５質量％）を調製した。
【００６３】
この３官能のアルコキシシラン部分加水分解物溶液に酸化銅（Ｉ）微粒子を加え、これらをスターラーにより攪拌することによって、組成物を調整した。
【００６４】
基材として、ホウ珪クラウンガラス（住田光学ガラス社製、品番ＢＫ７；厚さ２ｍｍ）を用意した。この基材上に組成物をバーコータ（＃２０）によって塗布し、１５０℃の温度で１０分間乾燥することによって、基材上に水処理材を形成した。
【００６５】
［実施例６］
容量２００ｍＬのガラス製の容器を用意した。この容器を脱脂・アルカリ洗浄・中和することで清浄化した。続いて、この容器に実施例５に示す組成物を流し入れて緩やかに攪拌した後、余分な組成物を排出することで容器の表面をコーティングした。それを１５０℃で３０分間加熱し乾燥・硬化させることで、内面上に水処理材が設けられているガラス容器を得た。
【００６６】
［実施例７］
外径７ｍｍ、内径５ｍｍのガラス管を用意した。このガラス管をアルカリ洗浄・中和することで清浄化した。続いて、このガラス管に実施例５に示す組成物を流し入れることを数回繰り返すことでガラス管内壁をコーティングした。それを１５０℃で３０分間加熱し乾燥・硬化させることで、内面上に水処理材が設けられているガラス管を得た。
【００６７】
［比較例１］
実施例１において、主剤を、ポリシロキサン骨格を含む側鎖とフルオロアルキル骨格とをいずれも有さないアクリルポリオール（ＤＩＣ株式会社製、品番５２−６６８ＢＡ；固形分４５質量％、水酸基価２４）に変更した。原料の使用量は表１に示す通りとした。
【００６８】
それ以外は実施例１の場合と同じ方法及び同じ条件で、基材上に水処理材を形成した。
【００６９】
［比較例２］
容量２００ｍＬのガラス製の容器を用意した。この容器を脱脂・アルカリ洗浄・中和することで清浄化した。
【００７０】
［表面自由エネルギー測定］
亜酸化銅を使用しない以外は実施例１〜５及び比較例１の各々における組成物の調製方法と同じ方法で、亜酸化銅を含有しない組成物を調製した。この亜酸化銅を含有しない組成物を、基材（ホウ珪クラウンガラス、住田光学ガラス社製、品番ＢＫ７；厚さ２ｍｍ）上にバーコータ（＃２０）で塗布し、更に１５０℃の温度で１０分間乾燥することによって、基材上にバインダーの層を形成した。
【００７１】
このバインダー上での測定用液（水及びジヨードメタンを使用）の接触角を、接触角計（協和界面科学社製、型番ＤＭ５００）を用いて測定した。この結果に基づき、下記の式を用いてバインダーの表面自由エネルギーを算出した。
（１＋ｃｏｓθ）・γＬ／２＝（γsｄ・γＬｄ）１／２＋（γsｐ・γＬｐ）１／２
θ：バインダー上の測定用液の接触角
γＬ：測定用液の表面張力
γＬｄ：測定用液の表面自由エネルギーの分散力成分
γＬｐ：測定用液の表面自由エネルギーの極性力成分
γsｄ：バインダーの表面自由エネルギーの分散力成分
γsｐ：バインダーの表面自由エネルギーの極性力成分
［抗菌試験１］
実施例１〜５及び比較例１の各々で得られた水処理材の大腸菌を対象とした抗菌活性値を、ＪＩＳ  Ｚ２８０１に従うフィルム法により評価した。暴露時間は１時間とした。
【００７２】
［抗菌試験２］
１００ｍＬの滅菌済み純水と大腸菌液１ｍＬ（前培養（３７℃／１日間）し、１０ｍＬの滅菌済み純水に２白金耳投入し攪拌することで、大腸菌を含む溶液を得た。この溶液を、実施例６で得られた水処理材を備える容器と比較例２における容器の各々に投入し、１０分間放置した。続いて、各容器内の溶液中の大腸菌を対象とする抗菌活性値を、平板希釈法により評価した。
【００７３】
【表１】
2012213689.tif 000003
【符号の説明】
【００７４】
１    水処理装置
２    通水路
３    タンク
４    浄水フィルタ
７    処理対象の水
【図１】
2012213689.tif 000004